(57)【要約】本発明は、物体（１）の曖昧でないマーキングの方法及びシステムに関する。固有の特徴（３）がデジタル化されて秘密鍵（９）により署名され、固有の特徴（３）自体は、デジタル化された特徴（６）の署名（８）に加えて、物体（１）または物体（１）のパッケージ（２）上に配置されるか、物体（１）またはそのパッケージ（２）の少なくとも一部によって構成されており、物体（１）の真正性は、固有の特徴（３）を、デジタル化された特徴（６）の復号された署名（８）と比較することによって判断され、署名は物体（１）かそのパッケージ（２）上に配置されて公開鍵（１１）によって復号される。簡単かつコスト効率よく実装できるセキュア方法を創出するために、固有の特徴（３）は、視角（１５）によって異なる光学的属性を備える光学的に検出可能な３次元構造または材料によって構成されており、デジタル化された特徴（６）は、少なくとも１つのデジタルカメラ（５）を使用して記録される固有の特徴（３）の少なくとも２つのデジタル画像（１６，１６’）に対して適用されるアルゴリズム（１７）によって生成される。
2015526946.tif 000002
【特許請求の範囲】
【請求項１】
物体（１）の曖昧でないマーキングの方法であって、固有の特徴（３）がデジタル化されて秘密鍵（９）によって署名されており、
前記固有の特徴（３）自体は、前記デジタル化された特徴（６）の署名（８）に加えて、前記物体（１）または前記物体（１）のパッケージ（２）上に配置されるか、前記物体（１）またはその前記パッケージ（２）の少なくとも一部によって構成されており、
前記物体（１）の真正性は、前記固有の特徴（３）を、前記デジタル化された特徴（６）の復号された前記署名（８）と比較することによって判断され、前記署名は前記物体（１）かその前記パッケージ（２）上に配置されて公開鍵（１１）によって復号される方法において、
前記固有の特徴（３）は、視角（１５）によって異なる光学的属性を備える光学的に検出可能な３次元構造または材料によって構成されており、
前記デジタル化された特徴（６）は、少なくとも１つのデジタルカメラ（５）を使用して記録される前記固有の特徴（３）の少なくとも２つのデジタル画像（１６，１６’）に対して適用されるアルゴリズム（１７）によって生成されることを特徴とする方法。
【請求項２】
前記固有の特徴（３）は、前記視角（１５）によって異なる光学的属性を備えている、無作為の光学的に検出可能な３次元構造または無作為に配置されている材料によって構成さることを特徴とする、請求項１に記載の方法。
【請求項３】
前記固有の特徴（３）は、前記３次元構造または前記材料を含んでいるフィルムの少なくとも一部によって構成されることを特徴とする、請求項１または２に記載の方法。
【請求項４】
前記フィルムの前記少なくとも一部は、無作為に選択されることを特徴とする、請求項３に記載の方法。
【請求項５】
前記少なくとも２つのデジタル画像（１６，１６’）は、各々の場合に異なる視角（１５，１５’）から前記少なくとも１つのデジタルカメラ（５）によって生成された前記固有の特徴（３）の前記少なくとも２つの画像から構成されることを特徴とする、請求項１乃至４のいずれか１項に記載の方法。
【請求項６】
前記少なくとも２つのデジタル画像（１６，１６’）は、各々の場合に異なる方向からの照明を使用して前記少なくとも１つのデジタルカメラ（５）によって生成された前記固有の特徴（３）の前記少なくとも２つの画像から構成されることを特徴とする、請求項１乃至５のいずれか１項に記載の方法。
【請求項７】
前記固有の特徴（３）は、前記物体（１）またはその前記パッケージ（２）に由来することを特徴とする、請求項１乃至６のいずれか１項に記載の方法。
【請求項８】
前記物体（１）の前記真正性は、少なくとも２つの異なる視角からの少なくとも１つのデジタルカメラ（５）と異なる方向からそれぞれ照明される１つの視角からの少なくとも１つのデジタルカメラ（５）との少なくとも一方を使用して、前記固有の特徴（３）、または、前記物体（１）あるいはその前記パッケージ（２）の少なくとも一部の光学的検出と、前記デジタル化された特徴（６）の前記署名（８）の光学的検出と、複数の光学的画像の処理と、によって決定されることを特徴とする、請求項１乃至７のいずれか１項に記載の方法。
【請求項９】
前記固有の特徴（３）と前記デジタル化された特徴（６）の前記署名（８）との少なくとも一方は、前記物体（１）またはその前記パッケージ（２）の表面に直接適用される、例えば印刷されることを特徴とする、請求項１乃至８のいずれか１項に記載の方法。
【請求項１０】
前記物体（１）またはその前記パッケージ（２）の前記表面に直接適用された前記固有の特徴（３）と、前記デジタル化された特徴（３）の前記署名（８）との少なくとも一方は、所定の破壊点などによって、改ざん時に、視覚的に及び機能的にの少なくとも一方で損傷されることを特徴とする、請求項９に記載の方法。
【請求項１１】
前記特徴（３）と前記デジタル化された特徴（６）の前記署名（８）との少なくとも一方は、少なくとも１つの担体（４）上に直接適用され、特に前記少なくとも１つの担体（４）上に印刷され、前記少なくとも１つの担体（４）は、前記物体（１）またはその前記パッケージ（２）の前記表面に適用され、特に接着されることを特徴とする、請求項１乃至８のいずれか１項に記載の方法。
【請求項１２】
少なくとも１つの担体（４）は、改ざん時に、特に取り外し中に、所定の破壊点などによって視覚的に及び機能的にの少なくとも一方で損傷されることを特徴とする、請求項１１に記載の方法。
【請求項１３】
前記固有の特徴（３）は少なくとも部分的に無作為の表面形状寸法、着色、またはそれらの組み合わせを有することを特徴とする、請求項１乃至１２のいずれか１項に記載の方法。
【請求項１４】
前記固有の特徴（３）は、光学的属性として、前記視角（１５）に依存して異なる光反射属性を有することを特徴とする、請求項１乃至１３のいずれか１項に記載の方法。
【請求項１５】
前記物体（１）またはその前記パッケージ（２）に適用される前記固有の特徴（３）と前記デジタル化された特徴（６）の前記署名（８）とは、例えば、凹凸の表面、透かし、ホログラム、反射する表面などの少なくとも１つの追加のセキュリティ特徴を有することを特徴とする、請求項１乃至１４のいずれか１項に記載の方法。
【請求項１６】
前記物体（１）のデジタル化された情報（１０）が署名の前に前記デジタル化された特徴（６）に追加されることを特徴とする、請求項１乃至１５のいずれか１項に記載の方法。
【請求項１７】
前記物体（１）の前記デジタル化された情報（１０）と前記デジタル化された特徴（６）との少なくとも一方が、前記デジタル化された特徴（６）の前記署名（８）に追加されることを特徴とする、請求項１乃至１６のいずれか１項に記載の方法。
【請求項１８】
前記デジタル化された特徴（６）の前記署名（８）は、１次元または２次元のバーコードの形態で表示されることを特徴とする、請求項１乃至１７のいずれか１項に記載の方法。
【請求項１９】
前記固有の特徴（３）と前記署名（８）との少なくとも一方は、人間に読み取り可能であって、ユーザによって読み取られ、処理に適する装置に入力されることを特徴とする、請求項１乃至１８のいずれか１項に記載の方法。
【請求項２０】
前記デジタル化された特徴（６）の前記署名（８）は、ＲＦＩＤ素子（無線識別素子）内に格納されることを特徴とする、請求項１乃至１９のいずれか１項に記載の方法。
【請求項２１】
前記デジタル化された特徴（６）の前記署名（８）と前記物体（１）の前記デジタル化された情報（１０）との少なくとも一方は、中央のデータベース（１９）に格納されることを特徴とする、請求項１乃至２０のいずれか１項に記載の方法。
【請求項２２】
前記物体（１）の曖昧でない識別のためのデータと、その位置の特定のためのデータ（１８）とが、前記物体（１）の前記真正性の検証中に検出され、中央のデータベース（１９）に格納されることを特徴とする、請求項１乃至２１のいずれか１項に記載の方法。
【発明の詳細な説明】
【技術分野】
【０００１】
本発明は、それぞれ物体を曖昧さなくマーキングする方法及びシステムに関する。この方法及びシステムにおいて、固有の特徴がデジタル化され、秘密鍵によって署名されており、デジタル化された特徴に対する署名に加えて固有の特徴自体が、物体または物体のパッケージ上に配置されるか、物体のまたはそのパッケージの少なくとも一部によって構成されている。物体の真正性は、固有の特徴をデジタル化された特徴の復号された署名と比較することによって証明される。署名は物体かそのパッケージ上に配置されており、公開鍵によって復号される。
【０００２】
さらに、本発明は、前述の方法またはシステムによってマーキングされた物体またはそのパッケージに関する。
【０００３】
本発明の方法は、デジタル署名を適用することによって、できるだけ簡単な形態で、例えば移動端末装置によって、盗用版つまり作成者によって正当と認められていない複製から原物を区別するのに役立つ。その応用範囲は、薬、データ担体、贅沢品から入場券にまで及ぶ。
【背景技術】
【０００４】
公知の方法は、検証の目的で、適切な読み取り装置によって検出可能であって、データベースに保存されている符号と比較されるさまざまな種類のセキュリティ符号を使用する。物体の真正性を検証するためにデータベースへアクセスすることを必要とすることは、非常に不利な点である。したがって、対応する装備を有するユーザだけが、真正性を検証することができる。
【０００５】
他の方法は、複製が困難なセキュリティ特徴の使用だけに依存している。例えば、それらは、本来の製造者のソフトウェアパッケージ上に通常の場合に配置されるホログラムを含んでいる。真正性の検証には外部のデータベースから検索しなければならないいかなる情報を必要としないが、そのようなセキュリティ特徴は、多少の手間で複製される場合がある。
【０００６】
別の方法は、固有の特徴の２次元の視覚的な属性をデジタル化し、秘密鍵でそれらの特徴に署名し、そのような署名を物体に適用する。非常に小さい構造が、それらの容易な複製を防止するために固有の特徴として使用され、そのため検証には適切な読み取り装置が必要になる。より大きく、デジタルカメラを使用して記録可能な特徴を使用する同様な方法には、ユーザによる触覚または視覚での追加の検証が必要であり、したがってそれによって得られる安全性と簡便さとが低下する。また、公知の方法は、固有の特徴の完全な一致に基づいており、そのため、わずかでも損傷すると、固有の特徴の検証はもはや不可能になる。
【０００７】
国際公開第２００４／０１３７３５号は、物体の曖昧でないマーキングの方法またはシステムについて記載している。そこでは、磁気的な２次元符号が適用され、その符号に含まれる情報が、対応するスキャナによって読み取られ、検証される。実際にそのような磁気的な符号は、従来の複製装置を使用して模倣することはできないという利点があるが、検証に必要なスキャナは複雑で高価であって、そのため、全てのユーザや保護されるべき物体の所有者が利用できるわけではない。
【０００８】
国際公開第２００５／０２４６９７号は、物体のマーキング方法を記載している。そこでは、保護されるべき物体の製品固有のデータとＲＦＩＤ（無線識別）チップの固有の特徴とを含んでいるデジタル署名が、ＲＦＩＤチップに格納されて、保護されるべき物体またはそのパッケージに貼り付けられている。固有の特徴は、ＲＦＩＤチップ内に組み込まれているデジタル符号の形態で提供される。これは、無作為の製造工程によって生成される特徴ではなく、そのため、該当する知識または適切なハードウェアを使用して複製することができる。ＲＦＩＤチップが原物からいったん取り外され、盗用された製品のパッケージに貼り付けられると、それが原物でないと判断することはもはやできない。
【０００９】
国際公開第１９９７／２４６９９号からは、物体の固有のマーキングの方法が知られている。そこでは、固有の特徴の微小凹凸形状がデジタル化され、秘密鍵を使用して署名されており、署名は物体上に配置されている。実際に、微小凹凸形状は、従来の複製装置を使用して模倣することはできないという利点があるが、検証に必要なスキャナは複雑で高価であって、そのため、全てのユーザや保護されるべき物体の所有者が利用できるわけではない。
【００１０】
国際公開第２００３／０２１５４１号は、物体の曖昧でないマーキングの方法を示している。そこでは、固有の特徴の視覚的属性がデジタル化され、秘密鍵を使用して署名され、署名は物体上に配置されている。この目的のために使用される構造は、例えばダイアモンドの不純物のように非常に小さい。そのため、検証に必要なスキャナは複雑で高価であって、したがって、全てのユーザや保護されるべき物体の所有者が利用できるわけではない。さらにこの方法は、固有の特徴を、その２次元属性のみに基づいて検証するので、それらを複製したり偽造したりするのは相当に容易になる。またこの方法は、固有の特徴の完全な一致に基づいているので、たとえば輸送中などに固有の特徴が被るのわずかな損傷によっても検証ができなくなる。
【００１１】
米国特許出願公開第２００６／０９１２０８号明細書は、物体の曖昧でないマーキングの方法を示している。そこでは、固有の特徴の視覚的属性がデジタル化され、秘密鍵を使用して署名され、署名は物体上に配置されている。この方法は、固有の特徴をそれらの２次元の属性のみに基づいて確認する。ある特定の波長の光のみを反射する特徴を使用した単純な２次元での複製によるどのような偽造もより困難になるが、確認に必要なスキャナは複雑で高価であって、そのため、全てのユーザや保護されるべき物体の所有者が利用できるわけではない。
【先行技術文献】
【特許文献】
【００１２】
【特許文献１】国際公開第２００４／０１３７３５号
【特許文献２】国際公開第２００５／０２４６９７号
【特許文献３】国際公開第１９９７／２４６９９号
【特許文献４】国際公開第２００３／０２１５４１号
【特許文献５】米国特許出願公開第２００６／０９１２０８号明細書
【発明の概要】
【発明が解決しようとする課題】
【００１３】
本発明の目的は、物体の真正性の判断のために物体を曖昧さなくマーキングするための前述の方法またはシステムを提供することである。その方法は、単純でコスト効果の高い態様で実装することが可能で、物体の所有者が物体の真正性を単純な手段で確認できるようにもする。
【課題を解決するための手段】
【００１４】
この目的は、固有の特徴を、視角に依存して異なる光学的属性を有する光学的に検出可能な３次元の構造または材料によって構成し、少なくとも１つのデジタルカメラを使用して記録される固有の特徴の少なくとも２つのデジタル画像に適用されるアルゴリズムによって、デジタル化された特徴を生成することで達成される。この方法は、ある特定の固有の特徴が物体のマーキングに使用され、これらの特徴が、再現や複製が可能な限り困難であることによって特徴付けられている。例えば、異なる光学的属性を有する固有の特徴は、視角に依存した異なる無作為のパターンを有するフィルム、無作為の３次元の属性を示す組み込まれた粒子を有する透明なフィルム、または、複製が困難な連番管理されたあるいは無作為のホログラムに含まれていてもよい。固有の特徴は、物体またはそのパッケージ上に配置されるか、物体またはそのパッケージの少なくとも一部によって構成される。また、それらの固有の特徴の視覚的な属性は、デジタル化され、秘密鍵によって署名されており、結果として得られるそれらのデジタル化された特徴の署名は、固有の特徴に加えて、物体またはそのパッケージ上に配置される。これで物体の真正性は、外部のデータベースから情報を検索することなく、特徴自体と、公開鍵によって復号されたデジタル化された特徴の復号された署名と、によって証明することができる。最も単純な場合は、この目的のために、現在ではほぼあらゆる携帯電話やタブレットＰＣなどに搭載されているカメラが使用される。特徴の製造、それらのデジタル化及び署名は、比較的単純でコスト効果の高い態様の単純な方法で実現できる可能性があり、したがって、量産品の保護さえも含んでいる、物体の広範囲の応用が可能になる。例えば、ホログラムのように３次元効果を有する、つまり画角に依存する光学的属性を有する光学的に検出可能な３次元構造または材料を使用するので、例えば３次元の構造や画角に依存する光学的な属性の欠如などの、複製による品質の差を判断するのは、使用するアルゴリズムの役割である。
【００１５】
固有の特徴は、無作為で光学的に検出可能な３次元構造、または視角に依存した異なる光学的な属性を有し無作為に配置される材料によって構成されることが有利である。
【００１６】
固有の特徴は、３次元構造または材料を含んでいるフィルムの少なくとも一部によって構成されていることが有利である。画角または照明の種類に依存して、フィルムに含まれている３次元構造または材料は、異なる無作為のパターンを有している。フィルムの少なくとも一部を作ることで、セキュリティが追加されるであろう。例えば、フィルムはホログラムで構成されてもよい。
【００１７】
セキュリティの程度は、フィルムの少なくとも一つ部分が無作為に選択されることで、さらに向上する。これらの部分または部位は、フィルムの中からそれらの部分を切断または穿孔することによって作成されてもよい。
【００１８】
少なくとも２つのデジタル画像が、各々の場合に異なる視角から少なくとも１つのデジタルカメラによって生成された、固有の特徴の少なくとも２つの画像から構成されることが有利である。
【００１９】
同様にまたは追加で、少なくとも２つのデジタル画像は、各々の場合に異なる方向からの照明を使用して少なくとも１つのデジタルカメラによって生成された、固有の特徴の少なくとも２つの画像から構成されてもよい。少なくとも１つのカメラの位置も、複数の画像が記録されるときに変更しなくてもよい。
【００２０】
固有の特徴は、物体自体またはそのパッケージに由来することが有利である。例えば、物体自体またはパッケージの表面の構造を固有の特徴として使用してもよい。固有の特徴は他の物体から明確な区別を可能にすることが重要である。また、固有の特徴は、複製が困難または不可能で、したがって、盗用された製品のマーキングをより困難にしなければならない。さまざまな方法が、固有の特徴の複製を原物からの明確な区別を助ける。
【００２１】
物体は、少なくとも２つの異なる視角からの少なくとも１つのデジタルカメラと異なる方向からそれぞれ照明される１つの視角からの少なくとも１つのデジタルカメラとの少なくとも一方を使用して、固有の特徴、または物体あるいはそのパッケージの少なくとも一部の光学的検出と、デジタル化された特徴の署名の光学的検出と、複数の光学的画像の処理と、によって、真正性が確認されることが好ましい。かくして、物体の購入者は、特定の装置を購入したり特定のデータベースにアクセスしたりせずに、物体の真正性を確認することができる。例えば購入者は、通常の場合にカメラが備わっているその購入者の携帯電話、タブレットＰＣまたはノートブックによって、特徴と、物体またはそのパッケージに貼り付けられているその署名とを記録し、物体が原物か盗用物かを即座に知ることができる。署名を復号するのに必要なものは公開鍵だけである。特徴と署名との少なくとも一方の属性が人間に読み取り可能な場合、それらの属性を、ユーザが読み取ったり、処理に適している携帯電話などの装置に入力することも可能である。
【００２２】
固有の特徴とデジタル化された特徴の署名との少なくとも一方を、物体またはそのパッケージの表面に直接適用する、例えばそれらの上に印刷することができる。固有の特徴が物体自体またはそのパッケージから構成されている場合、デジタル化された特徴の署名だけを物体またはそのパッケージの表面に適用しなければならない。物体またはそのパッケージの表面のどの領域から固有の特徴が由来しているのかをマーキングするために、対応するマーキング、例えば枠の態様のマーキングを物体またはパッケージ上に設けてもよい。そのマーキングは、例えばユーザの携帯電話を使用して真正性を確認するために走査されるべき領域をそのユーザに示す。
【００２３】
本来のパッケージから固有の特徴とデジタル化された特徴の署名を取り外しそれらを盗用された製品のパッケージに適用することによるいかなる悪用も防止するために、物体またはそのパッケージに直接適用された、固有の特徴とデジタル化された特徴の署名との少なくとも一方は、所定の破壊点などによって、改ざん時に、視覚的に及び機能的にの少なくとも一方で損傷されることが規定されている。特徴または署名を物体またはパッケージから取り外そうとすることは、含まれている所定の破壊点によって、特徴または署名を破壊することになり、これにより物体の真正性の確認が不可能になるであろう。署名がＲＦＩＤチップ内に格納されている場合、例えば、ＲＦＩＤチップを物体またはそのパッケージから取り外そうとすることは、トランスポンダのアンテナを破壊することとなり、したがって内容の読み出しが不可能になるであろう。
【００２４】
固有の特徴とデジタル化された特徴の署名との少なくとも一方を物体またはそのパッケージの表面に直接適用することの代替として、これらの特徴を、少なくとも１つの担体に適用してもよく、特に担体上に印刷してもよい。この少なくとも１つの担体を物体またはそのパッケージの表面に適用してもよく、特に表面に接着あるいは糊付けしてもよい。これによって、固有の特徴とデジタル化された特徴の署名との製造が促進され、それらは、その後、それぞれの物体またはそのパッケージに適用されてもよく、例えば糊付けされてもよい。固有の特徴と署名とは、１つの担体上または別個の複数の担体上に配置することができる。固有の特徴が、物体自体、またはそのパッケージ自体によって構成されている場合、デジタル化された特徴の署名のための１つの担体のみが必要である。
【００２５】
この場合も、セキュリティを向上させるために、改ざん時に、特に取り外し時に、少なくとも１つの担体が、所定の破壊点の使用によって視覚的に及び機能的にの少なくとも一方で損傷されることが有利である。これによって、本来の製品の固有のマーキングを盗用された製品またはそのパッケージ上に移すことが不可能になる。
【００２６】
本発明の他の態様によれば、固有の特徴は、光学的属性として視角に依存して異なる光反射属性を有する。画角に依存する異なる光反射属性は、例えばフィルム内の反射する粒子によって生成することができる。
【００２７】
本発明の他の態様によれば、物体またはそのパッケージ上に適用される固有の特徴と、デジタル化された特徴の署名とは、少なくとも１つの追加のセキュリティ特徴を有することが規定されている。このような追加のセキュリティ特徴は、紙幣の場合のように、例えば、凹凸の表面、透かし、ホログラム、反射する表面などによって構成されていてもよい。この手段によって、偽造からのさらに改善された保護の達成が促進される。
【００２８】
また、署名の前に、物体のデジタル化された情報をデジタル化された特徴に追加することができる。例えば情報は、物体または製品の名称、製造者に関する詳細情報、製造日などを含んでいてもよい。かくしてデジタル化された特徴は、マーキングされるべき物体の情報を含んでおり、それによって署名と物体との間のさらに密接な関係の構築が助けられる。
【００２９】
追加でまたは代わりに、物体とデジタル化された特徴との少なくとも一方のデジタル化された情報が、デジタル化された特徴の署名に追加されてもよい。
【００３０】
デジタル化された特徴の署名は、１次元または２次元のバーコードの形態で表示されることが好ましい。特に携帯電話のカメラなどの一般的な装置を使用してそのようなコードを走査するのは容易であって、これにより物体の真正性を確認することは容易である。
【００３１】
追加でまたは代わりに、固有の特徴と署名との少なくとも一方は、人間が読み取り可能であって、ユーザによって読み出されて処理に適した装置、好ましくは携帯電話などの移動端末に入力されてもよい。
【００３２】
追加でまたは代わりに、デジタル化された特徴の署名も、ＲＦＩＤ素子内に格納可能であってもよい。もちろん、特徴のデジタル化と署名とに必要な労力及び時間もマーキングされるべき物体とその価値とに依存している。
【００３３】
デジタル化された特徴の署名と物体のデジタル化された情報との少なくとも一方が中央のデータベースに格納されている場合、以降の検索のために重要な情報が取得されてもよい。また、署名は、中央のデータベースに格納されているデジタル化された特徴の署名及び物体のデジタル化された情報の少なくとも一方を参照している、曖昧でない数字に置き換えることができる。
【００３４】
物体の真正性を確認する場合、物体の曖昧でない識別ためののデータとその位置を特定するためのデータ（例えば全地球測位システム（ＧＰＳ）の座標）とを検出して中央のデータベースに格納することができる。
【図面の簡単な説明】
【００３５】
【図１】物体のマーキングのための使用事例のブロック図である。
【図２】図１によってマーキングされた物体の真正性の確認のための使用事例のブロック図である。
【図３】マーキングされるべき物体自体のパッケージによって固有の特徴が構成されている他の実施形態である。
【図４】異なる視角からの２つの取得結果の支援を有する、特徴のデジタル化の詳細図である。
【図５】物体の曖昧でない識別のためのデータとその位置の特定のためのデータが中央のデータベースに追加で格納されているときの、物体の真正性の確認のための使用事例のブロック図である。
【発明を実施するための形態】
【００３６】
本発明を添付の図面に基づいてより詳細に説明する。これらは、物体の曖昧でないマーキングのための方法またはシステムの実施形態を示している。
【００３７】
図１は、パッケージ２内に配置されている物体１のマーキングのための使用事例のブロック図を示している。本発明によれば、固有の特徴３は物体１のパッケージ２の上に配置されている。図１に示すように、これらの固有の特徴３は、例えば、担体４上にプレスされており、画角に依存して異なる光学的属性、例えば異なる光反射属性を有する、無作為に配置されている粒子から製造することができる。担体４上に配置されている固有の特徴３は、追加でデジタル化されており、デジタル化は、少なくとも１つのデジタルカメラ５、例えば携帯電話を使用して実施されてもよい。その目的で、各々の場合に異なる視角からの少なくとも２つの画像、または異なる方向からの照明を使用した少なくとも２つの画像が得られ、それらを、アルゴリズムを使用して、画角に依存したそれらの固有の３次元の特徴または光学的特徴に換算させる。これらのデジタル化された特徴６は、ここで署名方法７によって署名され、署名８が、パッケージ２上、またはパッケージ２上に適用される、具体的には糊付けされる担体４上に、例えば２次元の符号の形態で直接適用される。署名８は、秘密鍵９を適用することによって有効になる。署名方法７の前に、マーキングされるべき物体１に関する例えば製品名、製造データ、製造者などのデジタル化された情報１０をデジタル化された特徴６に追加することができる。図１に示される実施形態は、それ自体は何ら固有の特徴３を有していない、すなわち特徴３を生成して物体１やそのパッケージ２に追加する必要のある、物体１の曖昧でないマーキングの方法を示している。物体１またはそのパッケージ２が固有の特徴３を既に有する場合、固有の特徴３を追加する必要はないが、物体１自体またはそのパッケージ２の一部を使用することができる。例えば、物体１またはそのパッケージ２の一部の表面品質をこの目的で使用することができる。定義しなければならないのは、画角に依存して異なる光学的な属性を有しておりそこから署名８が生成される、固有の特徴３を含んでいる物体１またはそのパッケージ２の領域だけである。
【００３８】
いずれにしても、固有の特徴３ばかりでなくデジタル化された固有の特徴３の署名８がその曖昧でないマーキングのために物体１またはそのパッケージ２上に配置されているか、物体１またはそのパッケージ２の少なくとも一部によって構成されていることが重要である。特徴３ばかりではなく署名８が原物から盗用された製品に移されるのを防ぐために、これらの固有の特徴３またはデジタル化された特徴６の署名８が、改ざん行為の際に、所定の破壊点などによって視覚的に及び機能的にの少なくとも一方で損傷されることが有利である。特徴３、署名８、またはそれらの担体４を取り外そうとすることは、それらの破壊をもたらことになり、物体１の真正性の確認が不可能になる。
【００３９】
固有の特徴３は、多様な方法で製造することができる。例えば、浮遊している複数の粒子を透明なフィルムに製造時に追加することができる。それらの粒子は、画角に依存して無作為の異なるパターンを示す。画角に依存している異なる光反射属性を有するフィルムの複数の断片を無作為に適用することも、そのような固有の特徴３の製造に役に立つ。例えば、フィルムをさまざまに着色された粒から作ることが可能で、それによって、フィルムは無作為の構造を有し、このフィルムの一部をこれらの固有の特徴３の担体として使用することができる。液体染料を吸収性の基質に適用しても、そのような固有の特徴３を製造に役立つかもしれない。
【００４０】
ホログラムの無作為に選択された部分または部位も、固有の特徴３を製造に役立つことができる。そのような無作為のホログラムは、ホログラムフィルムの、例えば無作為の、すなわち位置合わせされていない穴開けまたは打ち抜きによって作ることができる。
【００４１】
広範囲の公知の方法を、デジタル化と署名の方法として適用することができる。特に、非対称暗号方式または暗号化は、署名に適用されるものである。
【００４２】
図２において、ブロック図は、どのようにして図１に基づくマーキングに基づいて物体１の真正性を検査を行うことができるかを示している。この目的のために、固有の特徴３が、例えばカメラ５によって少なくとも２つの視野で記録され、デジタル化され、したがってデジタル化された特徴６’が得られる。また、物体１またはそのパッケージ２上に配置されている署名８が読み取られ、復号と比較の動作のためのブロック１４で公開鍵１１を使用して復号され、デジタル化された特徴６がそれから生成される。デジタル化されたこれらの特徴６はデジタル化された特徴６’と比較され、十分な対応が得られた場合、物体１が真正であると判断される。そのため、物体１の真正性の確認には中央のデータベースは必要なく、必要なのはユーザに公開鍵１１を知らせることだけで、公開鍵１１を使用してユーザは、署名８の復号を行うことができる。また、固有の特徴３が真正性の検証を可能にする属性をさらに有することで、セキュリティを向上させてもよい。特に、特徴３の知覚による検査１２を行うことが可能で、それによって、特徴３の複製が関係していないと判断することができる。特定の凹凸の表面、透かし、ホログラム、反射する表面などがその例である。
【００４３】
図３は、固有の特徴３が物体１自体またはそのパッケージ２によって構成されている他の実施形態を示している。この場合、固有の特徴３が含まれ、かつ特徴３のデジタル化と署名とに使用される領域１３が定められている。結果として得られる署名８は、例えばこの領域に隣接して、パッケージ２の表面上に直接配置されるか、あるいは、署名８を含んでいる担体４が物体１のパッケージ２上に適用される。
【００４４】
図４は、図１及び図２に示される固有の特徴３のデジタル化の詳細なブロック図を示している。ここで、例えば、固有の特徴３のデジタル画像１６が、例えばデジタルカメラ５を使用して得られる。その後、カメラ５の位置が変更され、画角１５’からの別の取得が行われ、かくしてデジタル画像１６’が生成される。３次元構造のせいでまたは例えば視角１５に依存した特徴３の光反射属性のせいで互いに異なるこれら２個のデジタル画像１６，１６’から、アルゴリズム１７は、デジタル化された３次元の特徴６または６’、または特定の２次元情報からそれぞれ画角１５に依存している特徴６または６’を計算する。
【００４５】
図５は、物体１の真正性の確認を検査する図２に示される使用事例を拡張したブロック図を示している。真正性の確認後に、マーキングされる物体１上のデジタル化された情報１０が、全地球測位システム（ＧＰＳ）の座標などのその位置の特定のためのデータ１８とともに、中央データベース１９に格納される。これらのデータは、物体１に関連した興味深い情報を提供することができる。
【００４６】
本発明の方法は、例えば、盗用された製品から本来の製造者による薬を区別し、末端ユーザまたは流通業者さえもが真正性を容易に確認できるようにするのに使用することができる。特別な読み取り装置やデータベースへのアクセスは必要ない。本方法は、固有の特徴３の光学的な３次元の属性を考慮するので、複製の防止に、ユーザによる知覚による確認などの追加の過程は必要ない。本方法は、簡単でコスト効果の高い態様で実装することができる。
【図１】
2015526946.tif 000003
【図２】
2015526946.tif 000004
【図３】
2015526946.tif 000005
【図４】
2015526946.tif 000006
【図５】
2015526946.tif 000007
【手続補正書】
【提出日】平成26年7月28日(2014.7.28)
【手続補正１】
【補正対象書類名】特許請求の範囲
【補正対象項目名】全文
【補正方法】変更
【補正の内容】
【特許請求の範囲】
【請求項１】
物体（１）の曖昧でないマーキングの方法であって、固有の特徴（３）がデジタル化されて秘密鍵（９）によって署名されており、
前記固有の特徴（３）自体は、前記デジタル化された特徴（６）の署名（８）に加えて、前記物体（１）または前記物体（１）のパッケージ（２）上に配置されるか、前記物体（１）またはその前記パッケージ（２）の少なくとも一部によって構成されており、
前記物体（１）の真正性は、前記固有の特徴（３）を、前記デジタル化された特徴（６）の復号された前記署名（８）と比較することによって判断され、前記署名は前記物体（１）かその前記パッケージ（２）上に配置されて公開鍵（１１）によって復号される方法において、
前記固有の特徴（３）は、視角（１５）によって異なる光学的属性を備える３次元構造または材料を用いて構成されており、
前記構造または材料は、それぞれカメラを備える携帯電話、タブレットＰＣまたはノートブックによって光学的に検出可能であり、
前記デジタル化された特徴（６）は、異なる視角（１５，１５’）から少なくとも１つのデジタルカメラ（５）を使用すること及びそれぞれ異なる方向からの照明を用いる前記少なくとも１つのデジタルカメラ（５）を使用することの少なくとも一方によって記録される前記固有の特徴（３）の少なくとも２つのデジタル画像（１６，１６’）に対して適用されるアルゴリズム（１７）によって生成されることを特徴とする方法。
【請求項２】
前記固有の特徴（３）は、前記画角（１５）によって異なる光学的属性を備えている、無作為の光学的に検出可能な３次元構造または無作為に配置されている材料によって構成さることを特徴とする、請求項１に記載の方法。
【請求項３】
前記固有の特徴（３）は、前記３次元構造または前記材料を含んでいるフィルムの少なくとも一部によって構成されることを特徴とする、請求項１または２に記載の方法。
【請求項４】
前記フィルムの前記少なくとも一部は、無作為に選択されることを特徴とする、請求項３に記載の方法。
【請求項５】
前記固有の特徴（３）は、前記物体（１）またはその前記パッケージ（２）に由来することを特徴とする、請求項１乃至４のいずれか１項に記載の方法。
【請求項６】
前記物体（１）の前記真正性は、常に少なくとも２つの異なる画角からの少なくとも１つのデジタルカメラ（５）と異なる方向から照明される画角からの少なくとも１つのデジタルカメラ（５）との少なくとも一方を使用して、前記固有の特徴（３）、または、前記物体（１）あるいはその前記パッケージ（２）の少なくとも一部の光学的検出と、前記デジタル化された特徴（６）の前記署名（８）の光学的検出と、複数の光学的画像の処理と、によって検出されることを特徴とする、請求項１乃至５のいずれか１項に記載の方法。
【請求項７】
前記固有の特徴（３）と前記デジタル化された特徴（６）の前記署名（８）との少なくとも一方は、前記物体（１）またはその前記パッケージ（２）の表面に直接適用される、すなわち印刷されることを特徴とする、請求項１乃至６のいずれか１項に記載の方法。
【請求項８】
前記物体（１）またはその前記パッケージ（２）の前記表面に直接適用された前記固有の特徴（３）と、前記デジタル化された特徴（３）の前記署名（８）との少なくとも一方は、所定の破壊点などによって、改ざん時に、視覚的に及び機能的にの少なくとも一方で損傷されることを特徴とする、請求項７に記載の方法。
【請求項９】
前記特徴（３）と前記デジタル化された特徴（６）の前記署名（８）との少なくとも一方は、少なくとも１つの担体（４）上に直接適用され、特に前記少なくとも１つの担体（４）上に印刷され、前記少なくとも１つの担体（４）は、前記物体（１）またはその前記パッケージ（２）の前記表面に適用され、特に接着されることを特徴とする、請求項１乃至８のいずれか１項に記載の方法。
【請求項１０】
少なくとも１つの担体（４）は、改ざん時に、特に取り外し中に、所定の破壊点などによって視覚的に及び機能的にの少なくとも一方で損傷されることを特徴とする、請求項９に記載の方法。
【請求項１１】
前記固有の特徴（３）は少なくとも部分的に無作為の表面形状寸法、着色、またはそれらの組み合わせを有することを特徴とする、請求項１乃至１０のいずれか１項に記載の方法。
【請求項１２】
前記固有の特徴（３）は、光学的属性として、前記画角（１５）に依存して異なる光反射属性を有することを特徴とする、請求項１乃至１３のいずれか１項に記載の方法。
【請求項１３】
前記物体（１）またはその前記パッケージ（２）に適用される前記固有の特徴（３）と前記デジタル化された特徴（６）の前記署名（８）とは、例えば、凹凸の表面、透かし、ホログラム、反射する表面などの少なくとも１つの追加のセキュリティ特徴を有することを特徴とする、請求項１乃至１２のいずれか１項に記載の方法。
【請求項１４】
前記物体（１）のデジタル化された情報（１０）が署名の前に前記デジタル化された特徴（６）に追加されることを特徴とする、請求項１乃至１３のいずれか１項に記載の方法。
【請求項１５】
前記物体（１）の前記デジタル化された情報（１０）と前記デジタル化された特徴（６）との少なくとも一方が、前記デジタル化された特徴（６）の前記署名（８）に追加されることを特徴とする、請求項１乃至１４のいずれか１項に記載の方法。
【請求項１６】
前記デジタル化された特徴（６）の前記署名（８）は、１次元または２次元のバーコードの形態で描画されることを特徴とする、請求項１乃至１５のいずれか１項に記載の方法。
【請求項１７】
前記固有の特徴（３）と前記署名（８）との少なくとも一方は、人間に読み取り可能であって、ユーザによって読み取られ、処理に適する装置に入力されることを特徴とする、請求項１乃至１６のいずれか１項に記載の方法。
【請求項１８】
前記デジタル化された特徴（６）の前記署名（８）は、ＲＦＩＤ素子（無線識別素子）内に格納されることを特徴とする、請求項１乃至１７のいずれか１項に記載の方法。
【請求項１９】
前記デジタル化された特徴（６）の前記署名（８）と前記物体（１）の前記デジタル化された情報（１０）との少なくとも一方は、中央のデータベース（１９）に格納されることを特徴とする、請求項１乃至１８のいずれか１項に記載の方法。
【請求項２０】
前記物体（１）の真正性の確認の際に、前記物体（１）の曖昧でない識別のためのデータと、その位置の特定のためのデータ（１８）とが検出され、中央のデータベース（１９）に格納されることを特徴とする、請求項１乃至１９のいずれか１項に記載の方法。
【国際調査報告】
2015526946.tif 000008
2015526946.tif 000009
2015526946.tif 000010
2015526946.tif 000011